(57)【要約】【課題】渦巻きラップの壁厚が薄いところでは、ラップ先端で仕切られる内外の圧縮室のシール性が低下し、冷媒の漏れが増加することで性能の低下を引き起こす課題を有していた。【解決手段】密閉容器内に圧縮機構部とモータ部を収納し、圧縮機構部は、鏡板から渦巻状のラップが立ち上がる固定スクロールと、鏡板から渦巻状のラップが立ち上がり、固定スクロールと噛み合わせて複数の圧縮室を形成する旋回スクロールと、旋回スクロールに回転力を伝達するシャフトと、シャフトを支持するメインフレームと、旋回スクロールの姿勢を規制する自転拘束機構から構成されるスクロール圧縮機であって、渦巻きラップの壁厚が、巻き始めから巻き終わりにかけて段階的もしくは連続的に変化し、渦巻きラップ先端部にチップシールを装着する。【選択図】図１
2014152748.tif 000002
【特許請求の範囲】
【請求項１】
密閉容器内に圧縮機構部とモータ部を収納し、前記圧縮機構部は、鏡板から渦巻状のラップが立ち上がる固定スクロールと、鏡板から渦巻状のラップが立ち上がり、前記固定スクロールと噛み合わせて複数の圧縮室を形成する旋回スクロールと、前記旋回スクロールに回転力を伝達するシャフトと、前記シャフトを支持するメインフレームと、前記旋回スクロールの姿勢を規制する自転拘束機構から構成されるスクロール圧縮機であって、
前記渦巻きラップの壁厚が、巻き始めから巻き終わりにかけて段階的もしくは連続的に変化し、前記渦巻きラップ先端部にチップシールを装着することを特徴とするスクロール圧縮機。
【請求項２】
前記渦巻きラップの壁厚が、巻き始めから巻き終わりにかけて、段階的もしくは連続的に薄くなることを特徴とする請求項１に記載のスクロール圧縮機。
【請求項３】
チップシールの幅が一定であることを特徴とする請求項１または２に記載のスクロール圧縮機。
【請求項４】
前記旋回スクロールの渦巻きラップの外壁巻き終わり端近くまで、前記固定スクロールの渦巻きラップの内壁を形成し、前記圧縮機構部が噛みあって形成される２つの圧縮室の閉じ込み容積が異なる請求項１〜３のいずれか１項に記載のスクロール圧縮機。
【請求項５】
前記旋回スクロール及び前記固定スクロールの渦巻きラップの中心線と前記チップシールの中心線とが一致する請求項１〜４のいずれか１項に記載のスクロール圧縮機。
【請求項６】
前記旋回スクロールの渦巻きラップ先端部で、前記チップシールが装着される溝の両側に形成される土手部が、内壁側の土手部より外壁側の土手部の方が広く形成される請求項１〜４のいずれか１項に記載のスクロール圧縮機。
【請求項７】
前記固定スクロールの渦巻きラップ先端部で、前記チップシールが装着される溝の両側に形成される土手部が、外壁側の土手部より内壁側の土手部の方が広く形成される請求項１〜４、６のいずれか１項に記載のスクロール圧縮機。
【発明の詳細な説明】
【技術分野】
【０００１】
本発明は、冷媒を吸入した後、圧縮して吐出するスクロール圧縮機に関するものである。
【背景技術】
【０００２】
従来、スクロール圧縮機の軽量化、小型化を図る方法として、インボリュート曲線上の伸開角位置から伸開線の方向へ伸開角の増大に応じて減じた位置の曲線を旋回スクロール及び固定スクロールの外壁曲線とし、この外壁曲線上の伸開角位置における法線方向へ旋回スクロールの公転半径分だけこの伸開角位置を移動すると共に、この移動伸開角の曲線をインボリュート曲線の基礎円の中心点の点対称位置に移した点対称曲線を両スクロールの内壁曲線とすることが行われてきた。すなわち、渦巻きの壁厚が、伸開角が増大するにつれて薄くなっていく（例えば、特許文献１参照）。
【先行技術文献】
【特許文献】
【０００３】
【特許文献１】特開平４−１２４４８３号公報
【発明の概要】
【発明が解決しようとする課題】
【０００４】
しかしながら、特許文献１に示すような従来の構成では、渦巻きラップの壁厚が薄いところでは、ラップ先端で仕切られる内外の圧縮室のシール性が低下し、冷媒の漏れが増加することで性能の低下を引き起こす課題を有していた。
【０００５】
本発明は、前記従来の課題を解決するためになされたものであり、その目的は、冷媒の漏れを抑制することで、高効率なスクロール圧縮機を提供することにある。
【課題を解決するための手段】
【０００６】
本発明のスクロール圧縮機は、密閉容器内に圧縮機構部とモータ部を収納し、圧縮機構部は、鏡板から渦巻状のラップが立ち上がる固定スクロールと、鏡板から渦巻状のラップが立ち上がり、固定スクロールと噛み合わせて複数の圧縮室を形成する旋回スクロールと、旋回スクロールに回転力を伝達するシャフトと、シャフトを支持するメインフレームと、旋回スクロールの姿勢を規制する自転拘束機構から構成されるスクロール圧縮機であって、渦巻きラップの壁厚が、巻き始めから巻き終わりにかけて段階的もしくは連続的に変化し、渦巻きラップ先端部にチップシールを装着したものである。これによって、高効率なスクロール圧縮機を提供できる。
【発明の効果】
【０００７】
本発明のスクロール圧縮機は、チップシールによりラップ先端で仕切られる内外の圧縮室のシール性を向上することができる結果、冷媒の漏れを抑制でき、高効率な圧縮機を実現することができる。
【図面の簡単な説明】
【０００８】
【図１】本発明の実施の形態１における圧縮機の縦断面図
【図２】本発明の実施の形態１における圧縮機のチップシールが装着された固定スクロールと旋回スクロールの断面図
【図３】（ａ）本発明の実施の形態１における圧縮機の渦巻きラップの壁厚が厚い箇所の縦断面図（ｂ）本発明の実施の形態１における圧縮機の渦巻きラップの壁厚が薄い箇所の縦断面図
【図４】本発明の実施の形態１における圧縮機の渦巻きラップの縦断面図
【図５】本発明の実施の形態１における圧縮機のチップシールが装着された渦巻きラップの正面図
【図６】（ａ）本発明の実施の形態１における圧縮機の対称型スクロールの渦巻きラップの断面図（ｂ）本発明の実施の形態１における圧縮機の非対称型スクロールの渦巻きラップの断面図
【図７】本発明の実施の形態１における圧縮機の旋回スクロールと固定スクロールの渦巻きラップ部分の縦断面図
【図８】本発明の実施の形態１における圧縮機で、内側の土手部を狭くした旋回スクロールと固定スクロールの渦巻きラップ部分の縦断面図
【図９】本発明の実施の形態１における圧縮機で、内側の土手部を狭くした旋回スクロールと外側の土手部を狭くした固定スクロールの渦巻きラップ部分の縦断面図
【発明を実施するための形態】
【０００９】
第１の発明は、密閉容器内に圧縮機構部とモータ部を収納し、圧縮機構部は、鏡板から渦巻状のラップが立ち上がる固定スクロールと、鏡板から渦巻状のラップが立ち上がり、固定スクロールと噛み合わせて複数の圧縮室を形成する旋回スクロールと、前記旋回スクロールに回転力を伝達するシャフトと、シャフトを支持するメインフレームと、旋回スクロールの姿勢を規制する自転拘束機構から構成されるスクロール圧縮機であって、渦巻きラップの壁厚が、巻き始めから巻き終わりにかけて段階的もしくは連続的に変化し、渦巻きラップ先端部にチップシールを装着したものである。この構成によれば、チップシールによりラップ先端で仕切られる内外の圧縮室のシール性を向上することができ、冷媒の漏れを抑制できる。
【００１０】
第２の発明は、特に、第１の発明において、巻きラップの壁厚が、巻き始めから巻き終わりにかけて、段階的もしくは連続的に薄くするものである。この構成によれば、ラップの両側に形成される圧縮室の圧力差が大きい中心部は、壁厚を厚くすることで必要な強度を確保し、圧力差の小さい外周部では壁厚を薄くする。外周部の壁厚を薄くすることで、小型化、軽量化をすることできる。また同一径においては、渦巻きの巻き数を増やすことができるため、その分、ラップ高さを低くすることでき、ラップの強度を高めることができる。
【００１１】
第３の発明は、特に、第１または第２の発明において、チップシールの幅を巻始め部から巻終わり部まで一定にするものである。この構成によれば、チップシールの溝の加工精度が高まり、溝形状が安定し、冷媒の漏れをさらに抑制することができる。
【００１２】
第４の発明は、特に、第１〜３のいずれか１つの発明において、旋回スクロールの渦巻きラップの外壁巻き終わり端近くまで、固定スクロールの渦巻きラップの内壁を形成し、圧縮機構部が噛みあって形成される２つの圧縮室の閉じ込み容積が異なるものである。２つの圧縮室の閉じ込み容積が異なる非対称型では、形成される全ての圧縮室間に差圧が生じるため、圧縮室間での冷媒の漏れが増加する。そこで、チップシールを装着することでラップ先端を経由する冷媒の漏れを抑制することができ、非対称型を採用することで得られる容積拡大、容積比の増大の効果を十分に発揮することができる。
【００１３】
第５の発明は、特に、第１〜４のいずれか１つの発明において、渦巻きラップの中心線とチップシールの中心線とを一致させるものである。この構成によれば、チップシールが相手側のスクロールの鏡板と摺動している際、チップシール両側に隙間が形成されるが、内壁側の隙間と外壁側の隙間を同じにすることができ、冷媒の漏れを抑制することができる。
【００１４】
第６の発明は、特に、第１〜４のいずれか１つの発明において旋回スクロールのラップ先端部で、チップシールが装着される溝の両側に形成される土手部が、外壁側の土手部より内壁側の土手部の方が狭く形成されたものである。この構成によれば、第２の圧縮室の閉じ込み時の隙間を狭め、冷媒の漏れを抑制できる。
【００１５】
第７の発明は、特に、第１〜４、６のいずれか１つの発明において固定スクロールのラップ先端部で、チップシールが装着される溝の両側に形成される土手部が、外壁側の土手部より内壁側の土手部の方が狭く形成されたものである。この構成によれば、第２の圧縮室の閉じ込み時の隙間をより狭め、冷媒の漏れをさらに抑制できる。
【００１６】
以下、本発明の実施の形態について、図面を参照しながら説明する。なお、この実施の形態によって本発明が限定されるものではない。
【００１７】
（実施の形態１）
図１は、本発明の実施の形態１における圧縮機の縦断面図を示すものである。
【００１８】
図１に示すように、本実施の形態１による圧縮機は、密閉容器１内に、冷媒ガスを圧縮する圧縮機構部４と、圧縮機構部４を駆動するモータ部５とを備えている。密閉容器１内は、仕切板６によって上部が高圧室２、下部が低圧室３に仕切られている。そして、低圧室３には圧縮機構部４とモータ部５とオイル９ａを貯留するオイル溜まり部９を配置している。
【００１９】
密閉容器１には、吸入管７と吐出管８が溶接によって固定されている。吸入管７と吐出管８は密閉容器１の外部に通じ、冷凍サイクルを構成する部材と接続されている。吸入管７は密閉容器１の外部から冷媒を導入し、吐出管８は高圧室２から密閉容器１の外部に高温・高圧の冷媒を導出する。
【００２０】
メインフレーム１２は、密閉容器１内に溶接や焼き嵌めなどで固定され、シャフト１３を軸支している。このメインフレーム１２には、固定スクロール１０がボルト止めされている。旋回スクロール１１は、メインフレーム１２と固定スクロール１０で挟み込まれている。メインフレーム１２と旋回スクロール１１との間には、旋回スクロール１１の自転運動を規制する自転拘束機構１５が設けられている。メインフレーム１２、固定スクロール１０、旋回スクロール１１、及び自転拘束機構１５は、スクロール式の圧縮機構部４を構成している。
【００２１】
冷媒を圧縮すると、旋回スクロール１１には固定スクロール１０から離れる方向にガス力が作用する。そのため、旋回スクロール１１はメインフレーム１２に形成したスラスト軸受１２ｔによってガス力を支承する。また旋回スクロール１１と固定スクロール１０がガス力によって離されるため、それぞれのラップ先端にチップシール２１を装着している。これにより、ラップ先端隙間からの冷媒漏れを抑制し、高い圧縮効率を実現している。
【００２２】
旋回スクロール１１と固定スクロール１０は、オルダムリングなどによる自転拘束機構１５によって互いの位置関係が規制されている。また自転拘束機構１５は、旋回スクロール１１の自転を防止し、旋回スクロール１１が円軌道運動するように案内する役割も果たす。旋回スクロール１１は、シャフト１３の上端に設けている偏心軸１３ｅ、及び可動偏心部材１４にて偏心駆動される。この偏心駆動により、固定スクロール１０と旋回スクロール１１の間に形成している圧縮室１７は、外周から中央部に向かって移動し、容積を小さくして圧縮を行う。
【００２３】
モータ部５は密閉容器１の内壁面側に固定されたステータ５ｂと、このステータ５ｂの内側に回転自在に支持されたロータ５ａからなり、このロータ５ａにはシャフト１３が貫通状態に結合されている。このシャフト１３の一方の主軸１３ｍはメインフレーム１２に設けられた主軸受部材１２ｍに、他方の副軸１３ｓは副軸プレート１６に設けられた副軸受部材１６ｓに回転自在に支持されている。
【００２４】
次に冷媒の流れについて説明する。吸入管７から吸い込んだ冷媒は、密閉容器１内に導かれ、一部は圧縮機構部４へと直接供給され、一部はモータ部５を冷却した後、圧縮機構部４へと供給される。これにより、モータ部５の冷却を行い、巻線温度が所定の温度以上に上昇しないよう制御している。圧縮機構部４へと供給された冷媒は、圧縮室１７の容積変化によって圧縮されるとともに、固定スクロール１０及び旋回スクロール１１の中心部に移動する。固定スクロール１０の中央部には、吐出口１０ａが形成されている。吐出口１０ａには、リードバルブやフロートバルブなどの逆止弁１８が設けられている。所定の圧力に到達すると、冷媒は逆止弁１８を押し開け、高圧室２へと流れ込み、吐出管８から冷凍サイクルへと送り込まれる。
【００２５】
次にオイルの流れについて説明する。シャフト１３の下端にはオイルピックアップ１９が装着され、その内部にはオイルハネ２０を備えている。シャフト１３が回転することにより、オイルハネ２０によってオイル溜まり部９のオイル９ａが吸い上げられ、その後、シャフト１３の内部に形成されたオイル通路１３ｉを上昇する。オイル通路１３ｉは、回転軸に対して偏心した状態で形成されており、オイル９ａには遠心力が働く。これにより、オイル９ａはシャフト１３の主軸１３ｍ、更にはシャフト１３の端部まで導かれる。主軸１３ｍに到達したオイル９ａはシャフトに形成された横穴１３ｈを通過し、主軸受部材１２ｍと主軸１３ｍの嵌合部へと供給され、潤滑油として作用する。同じく、シャフト１３の端部に到達したオイル９ａは偏心軸受部材１１ｅと偏心軸１３ｅの嵌合部へと供給され、潤滑油として作用する。各軸受の嵌合部を潤滑したオイル９ａは、メインフレーム１２と旋回スクロール１１の鏡板で囲まれた背面空間に到達する。その後、スラスト軸受１２ｔを潤滑し、メインフレーム１２の内部通路１２ｃを経由して、密閉容器１の内周面に導かれ、ステータ５ｂの切欠きなどを通過してオイル溜まり部９に戻る。
【００２６】
図２は、本発明の実施の形態１における圧縮機のチップシールが装着された固定スクロールと旋回スクロールの断面図を示すものである。
【００２７】
図２に示すように、固定スクロール１０の壁厚は、巻き始めが厚く、巻き終わりにかけて薄くなっていく。一方、旋回スクロール１１の壁厚は、巻き始めが薄く、巻き終わりにかけて厚くなっていく。固定スクロール１０、旋回スクロール１１のラップ先端には、冷媒の漏れを抑制するためにチップシール２１を装着する。
【００２８】
図３（ａ）は、本発明の実施の形態１における圧縮機の渦巻きラップの壁厚が厚い箇所の縦断面図、図３（ｂ）は、本発明の実施の形態１における圧縮機の渦巻きラップの壁厚が薄い箇所の縦断面図を示すものである。
【００２９】
図３（ａ）に示すように、渦巻きラップの壁厚（Ｗｉ）が厚い場合はシール長が長くなっているため、高圧側から低圧側への冷媒の漏れは少ない。一方、図３（ｂ）に示すように、渦巻きラップの壁厚（Ｗｏ）が薄い場合は、シール長が短くなる。そのため、高圧側から低圧側への冷媒の漏れが増大する。その結果として、圧縮機の効率が低下する。
【００３０】
図４は、本発明の実施の形態１における圧縮機の渦巻きラップの縦断面図を示すものである。
【００３１】
図４に示すように、チップシール２１を装着することで、シール性が向上し、渦巻きラップの壁厚が薄い箇所においても冷媒の漏れを抑制することができる。すなわち、本構成を採用することで、圧縮機の高効率化を実現することができる。
【００３２】
ところで、スクロール圧縮機において、固定スクロール１０または旋回スクロール１１の渦巻きラップの厚さが、巻き始めから巻き終わりにかけて段階的もしくは連続的に変化する構成であれば、本実施例と同様の効果が得られる。
【００３３】
図５は、本発明の実施の形態１における圧縮機のチップシールが装着された渦巻きラップの正面図を示すものである。このような渦巻きラップの内外壁の曲線は、例えば以下の数１〜４の式で表すことができる。
【００３４】
【数１】
2014152748.tif 000003
【００３５】
【数２】
2014152748.tif 000004
【００３６】
【数３】
2014152748.tif 000005
【００３７】
【数４】
2014152748.tif 000006
【００３８】
ここで、ａは基礎円半径、θは伸開角、εは旋回半径で、Ｂ、ｎ、ｄは係数で、Ｂ＞０を充たす。
【００３９】
このような構成によれば、巻き始めから巻き終わりにかけて渦巻きラップの壁厚が薄くなっていく。外周部の壁厚を薄くすることで、小型化、軽量化をすることできる。また同一径においては、渦巻きの巻き数を増やすことができ、その分だけラップ高さを低くすることできるため、ラップの強度を高めることができる。
【００４０】
図５では、渦巻きラップの中心線とチップシール２１の中心線とが一致して、チップシール２１の幅は巻き始めから巻き終わりまで一定である。渦巻きラップの中心線とチップシール２１の中心線とが一致してチップシール２１の幅が一定である場合、対応する溝幅の加工ツールを使うことで、内壁側の隙間と外壁側の隙間を均一にすることができ、一度で溝形状を加工することができる。その結果、安定した溝形状が形成される、即ち、溝形状の精度が高い、ということである。溝形状が安定することで、チップシール２１の先端を経由する冷媒の漏れやチップシール２１の背面を経由する冷媒の漏れを抑制することができ、圧縮機のさらなる高効率化を図ることができる。
【００４１】
ここで、チップシール２１の幅をｔ、同伸開角の渦巻きの壁厚をＴとしたとき、０．３≦ｔ／Ｔ≦０．８を満たすことが望ましい。
【００４２】
０．３≦ｔ／Ｔとするのは、チップシール２１の幅が渦巻きの壁厚の３割以上を占めていないとチップシール２１によるシール性向上が効果的に得られないためである。また、
ｔ／Ｔ≦０．８とするのは、片側の土手部が少なくとも壁厚の１割以上を占めていないと、チップシール溝の精度の高い加工ができず、また、土手部に必要な強度を確保できないためである。
【００４３】
スクロール圧縮機は、旋回スクロール１１の外壁と固定スクロール１０の内壁とで形成される第１の圧縮室と、旋回スクロール１１の内壁と固定スクロール１０の外壁とで形成される第２の圧縮室の２つの圧縮室が存在する。
【００４４】
図６（ａ）は、本発明の実施の形態１における圧縮機の対称型スクロールの渦巻きラップの断面図、図６（ｂ）は、本発明の実施の形態１における圧縮機の非対称型スクロールの渦巻きラップの断面図を示すものである。
【００４５】
図６（ａ）に示すように、旋回スクロール１１の渦巻きラップの外壁巻き終わり端近くまで、固定スクロール１０の渦巻きラップの内壁を形成し、圧縮要素が噛みあって形成される２つの圧縮室の閉じ込み容積が異なる非対称型スクロールは、大径化することなく容積を拡大することができるため、圧縮機を小型化できる利点を有している。一方で、図６（ｂ）に示すように、対称型スクロールで形成される各圧縮室の内、圧縮室１７ａと圧縮室１７ｃ、圧縮室１７ｂと圧縮室１７ｄは同じ圧力であるのに対し、非対称型スクロールで形成される圧縮室１７ｅ、圧縮室１７ｆ、圧縮室１７ｇ、圧縮室１７ｈの圧力が全て異なる。その結果、ラップ先端を経由して、第１の圧縮室から第２の圧縮室へ、もしくは第２の圧縮室から第１の圧縮室への冷媒漏れが増加してしまい、性能低下を引き起こす。これに対し、チップシール２１を装着することでラップ先端を経由する漏れを抑制でき、非対称型を採用することで得られる、容積拡大、容積比増大の効果を十分に発揮することができる。
【００４６】
図７は、本発明の実施の形態１における圧縮機の旋回スクロールと固定スクロールの渦巻きラップ部分の縦断面図、また、図８は、本発明の実施の形態１における圧縮機で、内側の土手部を狭くした旋回スクロールと固定スクロールの渦巻きラップ部分の縦断面図を示すものである。
【００４７】
図７と図８を比較すると、旋回スクロール１１のチップシール２１が装着される溝の両側に形成される土手部が外壁側の土手部より内壁側の土手部の方が狭く形成される場合の方が、旋回スクロール１１のラップ先端と固定スクロール１０との隙間２２が小さいことが分かる。そのために、冷媒を閉じ込む際に、旋回スクロール１１のラップが冷媒ガスの流れと反対方向に動き、冷媒の漏れやすい、第２の圧縮室の閉じ込み時の冷媒の漏れを低減でき性能向上が図れる。
【００４８】
図９は、本発明の実施の形態１における圧縮機で、内側の土手部を狭くした旋回スクロールと外側の土手部を狭くした固定スクロールの渦巻きラップ部分の縦断面図を示すものである。このような構成にすることで、固定スクロール１０のラップ先端と旋回スクロール１１との隙間２３を小さくすることができ、第２の圧縮室の閉じ込み時の冷媒の漏れを低減でき、さらに性能向上を図ることができる。
【産業上の利用可能性】
【００４９】
本発明は、小型から大型に至るスクロール圧縮機に適用でき、冷暖房空調装置や冷蔵庫等の冷却装置、ヒートポンプ式給湯装置や温水暖房装置に搭載することで、より省エネで環境に優しい快適な製品を実現することが可能となる。
【符号の説明】
【００５０】
１  密閉容器
２  高圧室
３  低圧室
４  圧縮機構部
５  モータ部
５ａ  ロータ
６  仕切板
１０  固定スクロール
１１  旋回スクロール
１１ｅ  偏心軸受部材
１２  メインフレーム
１２ｍ  主軸受部材
１３  シャフト
１３ｅ  偏心軸
１３ｍ  主軸
１３ｓ  副軸
１４  可動偏心部材
１５  自転拘束機構
１６  副軸プレート
１６ｓ  副軸受部材
１７  圧縮室
１８  逆止弁
１９  オイルピックアップ
２０  オイルハネ
２１  チップシール
２２  旋回スクロールのラップ先端と固定スクロールとの隙間
２３  固定スクロールのラップ先端と旋回スクロールとの隙間
【図１】
2014152748.tif 000007
【図２】
2014152748.tif 000008
【図３】
2014152748.tif 000009
【図４】
2014152748.tif 000010
【図５】
2014152748.tif 000011
【図７】
2014152748.tif 000012
【図８】
2014152748.tif 000013
【図９】
2014152748.tif 000014
【図６】
2014152748.tif 000015